(57)【特許請求の範囲】
【請求項１】
底板、左右の側板、後板からなる前面及び上面が開口した合成樹脂製の枠本体と、該枠本体の上面を覆う合成樹脂製の天板体と、該枠本体の前面の開口を介して引出収納自在に設けられ、底板、前板、左右の側板、後板からなる上面が開口した合成樹脂製の引出体とからなり、上記天板体の上面に上記引出体の引出収納方向と直交する方向に延びる凹状溝部を形成すると共に上記枠本体の底板の底面に該凹状溝部に摺動自在な嵌合部を設け、上記天板体に各種の小物を吊下可能なフック体を格納自在に設けてなることを特徴とする収納ケース。
【請求項２】
底板、左右の側板、後板からなる前面及び上面が開口し、上下に積み重ね可能な複数個の合成樹脂製の枠本体と、該積み重ねられた最上位の枠本体の上面を覆う合成樹脂製の天板体と、該複数個の枠本体の前面の開口を介してそれぞれ引出収納自在に設けられ、底板、前板、左右の側板、後板からなる上面が開口した複数個の合成樹脂製の引出体とからなり、上記天板体の上面に上記引出体の引出収納方向と直交する方向に延びる凹状溝部を形成すると共に上記複数個の枠本体の少なくとも最下位の枠本体の底板の底面に該凹状溝部に摺動自在な嵌合部を設け、上記天板体に各種の小物を吊下可能なフック体を格納自在に設けてなることを特徴とする収納ケース。
【請求項３】
上記引出体の前板の前面に合成樹脂製の表示板を選択的に取替自在に配置してなることを特徴とする請求項１又は２記載の収納ケース。
【発明の詳細な説明】
【技術分野】
【０００１】
本発明は、例えば一般家庭に設置されて衣類や各種小物類等を整理収納する際に用いられる収納ケースに関するものである。
【背景技術】
【０００２】
従来、この種の収納ケースとして、底板、左右の側板、後板からなる前面及び上面が開口した合成樹脂製の枠本体と、該枠本体の上面を覆う合成樹脂製の天板体と、該枠本体の前面の開口を介して引出収納自在に設けられ、底板、前板、左右の側板、後板からなる上面が開口した合成樹脂製の引出体とからなる構造のものが知られている。
【先行技術文献】
【特許文献】
【０００３】
【特許文献１】実用新案登録第３０６９６４７号公報
【発明の概要】
【発明が解決しようとする課題】
【０００４】
しかしながらこれら従来構造の場合、複数個の収納ケースを上下に積み重ねて使用した場合、上側の収納ケースに不測の外力が加えられたり、収納ケースの接地面の傾斜状態、引出体内の収納物の収納状態によっては、上側の収納ケースが下側の収納ケースから前側に滑り落ちることがあるという不都合を有している。
【課題を解決するための手段】
【０００５】
本発明はこれらの不都合を解決することを目的とするもので、本発明のうちで、請求項１記載の発明は、底板、左右の側板、後板からなる前面及び上面が開口した合成樹脂製の枠本体と、該枠本体の上面を覆う合成樹脂製の天板体と、該枠本体の前面の開口を介して引出収納自在に設けられ、底板、前板、左右の側板、後板からなる上面が開口した合成樹脂製の引出体とからなり、上記天板体の上面に上記引出体の引出収納方向と直交する方向に延びる凹状溝部を形成すると共に上記枠本体の底板の底面に該凹状溝部に摺動自在な嵌合部を設け、上記天板体に各種の小物を吊下可能なフック体を格納自在に設けてなることを特徴とする収納ケースにある。
【０００６】
又、請求項２記載の発明は、底板、左右の側板、後板からなる前面及び上面が開口し、上下に積み重ね可能な複数個の合成樹脂製の枠本体と、該積み重ねられた最上位の枠本体の上面を覆う合成樹脂製の天板体と、該複数個の枠本体の前面の開口を介してそれぞれ引出収納自在に設けられ、底板、前板、左右の側板、後板からなる上面が開口した複数個の合成樹脂製の引出体とからなり、上記天板体の上面に上記引出体の引出収納方向と直交する方向に延びる凹状溝部を形成すると共に上記複数個の枠本体の少なくとも最下位の枠本体の底板の底面に該凹状溝部に摺動自在な嵌合部を設け、上記天板体に各種の小物を吊下可能なフック体を格納自在に設けてなることを特徴とする収納ケースにある。
【０００７】
又、請求項３記載の発明は、上記引出体の前板の前面に合成樹脂製の表示板を選択的に取替自在に配置してなることを特徴とするものである。
【発明の効果】
【０００８】
本発明は上述の如く、請求項１記載の発明にあっては、複数個の収納ケースを積み重ねた積重状態において、凹状溝部と嵌合部との嵌合により、上段の収納ケースの前側への滑り落ちを防ぐことができ、積み重ねの安定性を高めることができ、かつ、積み重ね状態の安定を維持しつつ収納ケースの幅方向の相互の配置位置を容易に変更することができ、積み重ねの配置位置の融通性を高めることができ、各種の使用態様、設置位置、各種の収納物等に応じて積み重ねの配置位置を変えることができ、収納ケースの使用位置の融通性及び快適性を高めることができ、かつ、上記天板体に各種の小物を吊下可能なフック体を格納自在に設けているから、帽子、鞄、ベルトなどを掛けて置くことができ、使用の利便性を高めることができる。
【０００９】
又、請求項２記載の発明にあっては、複数個の収納ケースを積み重ねた積重状態において、最上位の天板体の上面に形成された凹状溝部と嵌合部との嵌合により、上段の収納ケースへ前側への滑り落ちを防ぐことができ、積み重ねの安定性を高めることができ、かつ、積み重ね状態の安定を維持しつつ収納ケースの幅方向の相互の配置位置を容易に変更することができ、積み重ねの配置位置の融通性を高めることができ、各種の使用態様、設置位置、各種の収納物等に応じて積み重ねの配置位置を変えることができ、収納ケースの使用位置の融通性及び快適性を高めることができ、かつ、上記天板体に各種の小物を吊下可能なフック体を格納自在に設けているから、帽子、鞄、ベルトなどを掛けて置くことができ、使用の利便性を高めることができる。
【００１０】
又、請求項３記載の発明にあっては、上記引出体の前板の前面に合成樹脂製の表示板を選択的に取替自在に配置してなるから、色彩等の区別可能な数種類の表示板を用意し、例えば、親と子供、男性と女性等に応じて表示板を選択的に取り替えて配置することにより、引出体内の収納物を収納ケースの外方から認識することができ、使用の利便性を高めることができる。
【図面の簡単な説明】
【００１１】
【図１】本発明の実施の第一形態例の全体斜視図である。
【図２】本発明の実施の第一形態例の全体斜視図である。
【図３】本発明の実施の第一形態例の全体断面図である。
【図４】本発明の実施の第一形態例の分解斜視図である。
【図５】本発明の実施の第一形態例の部分斜視図である。
【図６】本発明の実施の第一形態例の部分断面図である。
【図７】本発明の実施の第一形態例の積重状態の断面図である。
【図８】本発明の実施の第一形態例の積重状態の断面図である。
【図９】本発明の実施の第一形態例の使用状態の正面図である。
【図１０】本発明の実施の第一形態例の他の使用状態の正面図である。
【図１１】本発明の実施の第二形態例の全体斜視図である。
【発明を実施するための形態】
【００１２】
図１乃至図１１は本発明の実施の各種の形態例を示し、図１乃至図１０は第一形態例、図１１は第二形態例である。
【００１３】
図１乃至図１０の第一形態例において、１は枠本体であって、合成樹脂製にして、底板１ａ、左右の側板１ｂ・１ｂ、後板１ｃからなり、前面及び上面が開口した枠状に形成されている。
【００１４】
２は天板体であって、合成樹脂製にして、上記枠本体１の上面を覆って枠本体１に着脱自在に取り付けられている。
【００１５】
３は引出体であって、合成樹脂製にして、底板３ａ、前板３ｂ、左右の側板３ｃ・３ｃ、後板３ｄからなり、上面が開口した容器状に形成され、上記枠本体１の前面の開口を介して引出収納自在に設けられている。
【００１６】
そして、上記天板体２の上面に上記引出体３の引出収納方向と直交する方向に延びる凹状溝部２ａ・２ａを形成すると共に上記枠本体１の底板１ａの底面に凹状溝部２ａ・２ａに摺動自在な前後一対ずつの計４個の嵌合部１ｄ・１ｄ・１ｄ・１ｄを設けている。
【００１７】
４はフック体であって、図５、図６の如く、上記天板体２に各種の小物を吊下可能なフック体４を枢軸４ａにより起倒自在に設け、天板体２に格納部２ｂを形成し、フック体４を格納部２ｂに格納自在に設けている。
【００１８】
５は表示板であって、合成樹脂製にして、上記引出体３の前板３ｂの前面に選択的に取替自在に配置されている。
【００１９】
この実施の第一形態例は上記構成であるから、例えば、図１の如く、高さＨが同一で横幅Ｗ及び奥行きＤが異なる大中小の三種類の収納ケースＫ１、Ｋ２、Ｋ３を製作し、大中小の三種類の収納ケースＫ１、Ｋ２、Ｋ３にはそれぞれ前後位置に凹状溝部２ａ・２ａ及び嵌合部１ｄ・１ｄ・１ｄ・１ｄが形成され、これらの三種類の収納ケースＫ１、Ｋ２、Ｋ３のうち、図９においては、中の種類の収納ケースＫ２を二段積み重ね、上段の中の収納ケースＫ２の上に三段目の小の種類の収納ケースＫ３を積み重ねたとき、上記凹状溝部２ａ・２ａと上記嵌合部１ｄ・１ｄ・１ｄ・１ｄとの嵌合により、一段目の中の種類の収納ケースＫ２に対して二段目の中の種類の収納ケースＫ２を上記引出体３の引出収納方向と直交する方向に摺動させることができると共に三段目の小の種類の収納ケースＫ３も二段目の中の種類の収納ケースＫ２に対して上記引出体３の引出収納方向と直交する方向に摺動させることができる。
【００２０】
又、図１０においては、大の種類の収納ケースＫ１を二段積み重ねると共に小の種類の収納ケースＫ３を二段積み重ね、これら二段の大の種類の収納ケースＫ１と二段の小の種類の収納ケースＫ３を並列配置し、これら上段の大の種類の収納ケースＫ１と上段の小の種類の収納ケースＫ３の上に中の種類の収納ケースＫ２を積み重ねたとき、上記凹状溝部２ａ・２ａと上記嵌合部１ｄ・１ｄ・１ｄ・１ｄとの嵌合により、二段目の大の種類の収納ケースＫ１及び二段目の小の種類の収納ケースＫ３に対して、三段目の中の種類の収納ケースＫ２を上記引出体３の引出収納方向と直交する方向に摺動させることができる。
【００２１】
したがって、複数個の収納ケースを積み重ねた積重状態において、上記凹状溝部２ａ・２ａと上記嵌合部１ｄ・１ｄ・１ｄ・１ｄとの嵌合により、上段の収納ケースの前側への滑り落ちを防ぐことができ、積み重ねの安定性を高めることができ、かつ、積み重ね状態の安定を維持しつつ収納ケースＫ１、Ｋ２、Ｋ３の幅方向、すなわち、引出体３の引出収納方向と直交する方向の相互の配置位置を容易に変更することができ、積み重ねの配置位置の融通性を高めることができ、各種の使用態様、設置位置、各種の収納物等に応じて積み重ねの配置位置を変えることができ、収納ケースの使用位置の融通性及び快適性を高めることができる。
【００２２】
この場合、上記天板体２に各種の小物を吊下可能なフック体４を格納自在に設けているから、帽子、鞄、ベルトなどを掛けて置くことができ、使用の利便性を高めることができ、又、この場合、上記引出体３の前板３ｂの前面に合成樹脂製の表示板５を選択的に取替自在に配置してなるから、色彩等の区別可能な数種類の表示板５を用意し、例えば、親と子供、男性と女性等に応じて表示板５を選択的に取り替えて配置することにより引出体３内の収納物を収納ケースの外方から認識することができ、使用の利便性を高めることができる。
【００２３】
図１１の第二形態例は別例構造を示し、この場合、上記第一形態例と同様な底板１ａ、左右の側板１ｂ・１ｂ、後板１ｃからなる前面及び上面が開口し、上下に積み重ね可能な複数個、この場合、３個の合成樹脂製の枠本体１・１・１と、積み重ねられた三個の枠本体１・１・１のうちの、最上位の枠本体１の上面を覆う上記第一形態例と同様な合成樹脂製の天板体２と、この複数個、この場合３個の枠本体１・１・１の前面の開口を介してそれぞれ引出収納自在に設けられ、底板３ａ、前板３ｂ、左右の側板３ｃ・３ｃ、後板３ｄからなる上面が開口した複数個、この場合３個の合成樹脂製の引出体３・３・３とからなり、上記最上位の枠本体１の上面を覆う天板体２の上面に上記引出体３・３・３の引出収納方向と直交する方向に延びる凹状溝部２ａ・２ａを形成すると共に上記複数個の枠本体１・１・１の少なくとも最下位の枠本体１の底板１ａの底面、この場合、複数個の枠本体１・１・１の底板１ａの底面にそれぞれ凹状溝部２ａ・２ａに摺動自在な嵌合部１ｄ・１ｄ・１ｄ・１ｄを設け、いわゆる三段式収納ケースとして構成している。
【００２４】
この実施の第二形態例にあっても、上記第一形態例と同様に、上記最上位の天板体２の上面に形成された凹状溝部２ａ・２ａと上記嵌合部１ｄ・１ｄ・１ｄ・１ｄとの嵌合により、多段式収納ケース、この場合、三段式収納ケースと、四段式、五段式等の多段式収納ケース又はこれらと一段式収納ケースとを積み重ねた状態において、上段の収納ケースへ前側への滑り落ちを防ぐことができ、積み重ねの安定性を高めることができ、かつ、積み重ね状態の安定を維持しつつ収納ケースの幅方向の相互の配置位置を容易に変更することができ、積み重ねの配置位置の融通性を高めることができ、各種の使用態様、設置位置、各種の収納物等に応じて積み重ねの配置位置を変えることができ、収納ケースの使用位置の融通性及び快適性を高めることができる。
【００２５】
尚、本発明は上記実施の形態例のものに限られず、例えば、枠本体１の数、段数、大きさ、引出体３の個数、構造は用途に応じて定められる。
【００２６】
以上の如く、所期の目的を充分達成することができる。
【符号の説明】
【００２７】
Ｋ１    収納ケース
Ｋ２    収納ケース
Ｋ３    収納ケース
１    枠本体
１ａ    底板
１ｂ    側板
１ｃ    後板
１ｄ    嵌合部
２    天板体
２ａ    凹状溝部
３    引出体
３ａ    底板
３ｂ    前板
３ｃ    側板
３ｄ    後板
４    フック体
５    表示板
【図１】
0005610314.tif 000002
【図２】
0005610314.tif 000003
【図３】
0005610314.tif 000004
【図４】
0005610314.tif 000005
【図５】
0005610314.tif 000006
【図６】
0005610314.tif 000007
【図７】
0005610314.tif 000008
【図８】
0005610314.tif 000009
【図９】
0005610314.tif 000010
【図１０】
0005610314.tif 000011
【図１１】
0005610314.tif 000012